(57)【要約】【課題】省スペース、省エネルギー、低価格である周波数変換装置を提供する。【解決手段】本発明の周波数変換装置は、ベースバンド信号の周波数変換に用いる局部発振周波数信号を発生する局部発振器と、局部発振周波数信号を２つの分配局発信号に分配する分配器と、ベースバンド信号と２つの分配局発信号のうち一方の分配局発信号とを入力とし、ベースバンド信号を高周波信号に周波数変換する周波数変換器と、２つの分配局発信号のうち他方の分配局発信号を入力とし、分配局発信号を位相反転するベクトル調整器と、周波数変換器で周波数変換された周波数変換信号と位相反転された分配局発信号とを入力とし、２つの入力信号をベクトル合成して周波数変換器の出力に現れる局部発振周波数信号の成分をキャンセルさせる合成器と、合成器の出力側に接続されて高周波信号を取り出す低域フィルタ又は高域フィルタと、を備えた。【選択図】      図１
2007060115.tif 000002
【特許請求の範囲】
【請求項１】
ベースバンド信号の周波数変換に用いる局部発振周波数信号を発生する局部発振器と、
前記局部発振周波数信号を２つの分配局発信号に分配する分配器と、
前記ベースバンド信号と前記２つの分配局発信号の内、一方の分配局発信号とを入力とし、該ベースバンド信号を高周波信号に周波数変換する周波数変換器と、
前記２つの分配局発信号の内、他方の分配局発信号を入力とし、該分配局発信号を位相反転するベクトル調整器と、
前記周波数変換器で周波数変換された周波数変換信号と前記位相反転された分配局発信号とを入力とし、該２つの入力信号をベクトル合成して前記周波数変換器の出力に現れる前記局部発振周波数信号の成分をキャンセルさせる合成器と、
該合成器の出力側に接続されて前記高周波信号を取り出す低域フィルタ又は高域フィルタと、を備えた周波数変換装置。
【請求項２】
前記ベクトル調整器近傍の温度に対応する検出電圧を前記ベクトル調整器へ出力する温度検出器を備え、
前記ベクトル調整器は、前記近傍の温度の変動による前記位相反転された分配局発信号の位相および振幅の変動を前記検出電圧により補償するように構成されている請求項１に記載の周波数変換装置。
【請求項３】
複数の周波数変換回路が多段に従属接続されたマルチコンバージョン回路であって、
前記周波数変換回路は、
ベースバンド信号の周波数変換に用いる局部発振周波数信号を発生する局部発振器と、
前記局部発振周波数信号を２つの分配局発信号に分配する分配器と、
前記ベースバンド信号と前記２つの分配局発信号の内、一方の分配局発信号とを入力とし、該ベースバンド信号を高周波信号に周波数変換する周波数変換器と、
前記２つの分配局発信号の内、他方の分配局発信号を入力とし、該分配局発信号を位相反転するベクトル調整器と、
前記周波数変換器で周波数変換された周波数変換信号と前記位相反転された分配局発信号とを入力とし、該２つの入力信号をベクトル合成して前記周波数変換器の出力に現れる前記局部発振周波数信号の成分をキャンセルさせる合成器と、
該合成器の出力側に接続されて前記高周波信号を取り出す低域フィルタ又は高域フィルタと、
前記ベクトル調整器近傍の温度に対応する検出電圧を前記ベクトル調整器へ出力する温度検出器と、を備え、
前記ベクトル調整器は、前記近傍の温度の変動による前記位相反転された分配局発信号の位相および振幅の変動を前記検出電圧により補償するように構成されている周波数変換装置。
【発明の詳細な説明】
【技術分野】
【０００１】
本発明は、周波数変換装置に関し、特に無線周波増幅装置における周波数変換回路に関する。
【背景技術】
【０００２】
携帯電話システムに代表されるように、電波を利用した無線通信装置は、用いられる電波の無線周波数が高く割り当てられるようになり、近年では数ＧＨｚを用いられるようになった。無線周波数が高くなるにしたがい信号の帯域幅も広くでき、Ｗ−ＣＤＭＡ（Ｗｉｄｅｂａｎｄ−Ｃｏｄｅ  Ｄｉｖｉｓｉｏｎ  ｍｕｌｔｉｐｌｅ  Ａｃｃｅｓｓ）のように高速データ伝送が行われるようになった。また携帯機は極めて小形化されているので、内蔵する回路も必然的に超小型化が要求されている。
このような無線周波増幅装置における周波数変換回路に関しては、ディジタル信号処理されてできた中間周波数信号（ＩＦ信号）である伝送帯域信号（ベースバンド信号）と局部発信周波数（Ｌｏ信号）とを周波数変換器（ＭＩＸ）によって周波数変換を行って、原理的に周波数変換信号（Ｌｏ±ＩＦ）を得る構成が基本である。（図７（Ａ）参照）
そこで、所定の無線チャネル周波数である無線周波信号（例；２５００ＭＨｚ）を得るために、周波数変換器（ＭＩＸ）の出力からＬｏ《例；２０００ＭＨｚ》＋ＩＦ《例；５００ＭＨｚ》の周波数成分を抽出し、マイナス周波数分（例；１５００ＭＨｚ）を除去する高域フィルタ（ＨＰＦ）が用いられる。（アップコンバージョン方式）。
また、回路の高周波結合などにより漏れてＭＩＸの出力側に現れるＬｏの周波数成分をＨＰＦの遮断特性の一部が利用されて、そのレベルが減衰される。本願ではＬｏ成分が所定の無線チャネル周波数帯域内にあってはならない場合の電波形式に適合するシステムを前提にしている。（図７（Ｂ）参照）
しかしながら、このようなＨＰＦ回路構成は、簡素な回路で済まされる反面、その実現可能な遮断特性に限度があったり、高周波回路の構造上、Ｌｏの周波数成分が結合し合ってＨＰＦの出力側に漏れ出ることもあったり、回路の温度特性により、一部の温度範囲にてＬｏの周波数成分がＨＰＦの出力側に漏れ出ることもあったり、増幅器での増幅後におけるＬｏの周波数成分が所定の減衰量を得ることに困難な場合がある。
上記の簡素な回路での問題を解決するために従来の実際の回路構成例では、図８に示されるように、２度のアップコンバージョン方式（ＭＩＸ１２、１４／ダブルコンバージョン方式）を行って目的の無線チャネル周波数を得るものがある。この場合、各ＭＩＸの出力側には、希望周波数のみを通過させ、希望周波数の上側成分、下側成分をカットする帯域通過フィルタを挿入接続させる。
これは局部発振器、ＭＩＸ、フィルタの構成が２段必要となり、各段の使用部品は特性が異なるものが必要となり回路規模が大きくなることが欠点である。
用いるフィルタは、帯域通過フィルタではあるものの、Ｌｏ信号と周波数変換されたＲＦ信号の周波数が離せるので、特殊な高減衰斜度（Ｈｉｇｈ−Ｑ）特性である必要は無い。
なお、ダブルコンバージョン方式でアップコンバージョンするので、ＭＩＸに入力される中間周波数信号（ＩＦ信号）である伝送帯域信号（ベースバンド信号）をディジタル信号処理によって作り出すＤＡＣは、その出力周波数を比較的低くできるので、このため処理速度が低い低価格のＬＳＩによるＤＡＣを採用することができる。
回路規模が大きくなるダブルコンバージョン方式を用いた回路を避けるために、図９に示したようなシングルコンバージョン方式にし、フィルタの多段構成などによる高減衰斜度の帯域通過フィルタを採用された回路が従来技術として有するが、局部発振器、ＭＩＸの構成が１段ですむものの、局部発振周波数（Ｌｏ）に近接した周波数が求める無線チャネル周波数となるため、先のダブルコンバージョン方式のフィルタ特性に比較して極めて遮断特性のよいものが必要となり、フィルタ２３、２４のように多段フィルタのカスケード接続および希望帯域のレベル減衰を補償する増幅器２５が主増幅器２７とは別に必要となり、大きさ、価格的にも格段に下がることはない。なおＤＡＣの仕様は前記ＤＡＣに同程度である。
更に、図１０に示されたように、図９のシングルコンバージョン方式におけるフィルタの回路規模を小規模にするために、中間周波数信号（ＩＦ信号）である伝送帯域信号（ベースバンド信号）を作成するディジタル信号処理の回路に高性能ＤＡＣ（ディジタルアナログコンバータ）を採用して、ＩＦ周波数を５００ＭＨｚに高周波とするため、それに見合う処理速度を達成させる高速サンプリングのＤＡＣを用いる。
これによってＬｏとＲＦが互いに離隔されて、フィルタの遮断特性を軽減させることができるＨＰＦを用いた簡素な回路にすることができる。これは周波数変換回路が簡素になるものの、用いる高性能ＤＡＣは、集積回路を高速で動作させるため高消費電力、多発熱対策、高価格であるのでトータル的（装置全体の小形化、コスト・パフォーマンス）には問題が残る。
【０００３】
上記のほか、カプラでミキサに入力されるローカル信号の一部を取り出し、移相器でその移相を漏れこんだローカル信号と逆位相になるように制御して、それをカプラでミキサの出力信号に注入し、１８０°の位相差を持つ２つの入力信号と、９０°の位相差を持つ２つのローカル信号を２つのミキサで混合し、各ミキサより出力される信号を９０°ハイブリッド回路で合成するものがある。（例えば、特許文献１参照）。
【０００４】
【特許文献１】特開平５−１７５７３６号公報（図２）
【発明の開示】
【発明が解決しようとする課題】
【０００５】
以上説明したように従来技術の周波数変換装置では、周波数変換回路の構成を単純にさせるためには、フィルタの遮断特性を格段に良くするなど、高価・高電力のＤＡＣを用いるなど、大きさ的にも、部品価格的にも問題を残し、装置として経済的、かつ、小形化することが課題であった。
【０００６】
本発明の目的は、上記従来技術の問題点を解決し、省スペース、省エネルギー、低価格である周波数変換装置を提供することにある。
【課題を解決するための手段】
【０００７】
この目的を達成するために、本発明の周波数変換装置は、ベースバンド信号の周波数変換に用いる局部発振周波数信号を発生する局部発振器と、
前記局部発振周波数信号を２つの分配局発信号に分配する分配器と、
前記ベースバンド信号と前記２つの分配局発信号の内、一方の分配局発信号とを入力とし、該ベースバンド信号を高周波信号に周波数変換する周波数変換器と、
前記２つの分配局発信号の内、他方の分配局発信号を入力とし、該分配局発信号を位相反転するベクトル調整器と、
前記周波数変換器で周波数変換された周波数変換信号と前記位相反転された分配局発信号とを入力とし、該２つの入力信号をベクトル合成して前記周波数変換器の出力に現れる前記局部発振周波数信号の成分をキャンセルさせる合成器と、
該合成器の出力側に接続されて前記高周波信号を取り出す低域フィルタ又は高域フィルタと、を備えた。
【０００８】
更に、前記ベクトル調整器近傍の温度に対応する検出電圧を前記ベクトル調整器へ出力する温度検出器を備え、
前記ベクトル調整器は、前記近傍の温度の変動による前記位相反転された分配局発信号の位相および振幅の変動を前記検出電圧により補償するように構成されている。
【０００９】
更に、複数の周波数変換回路が多段に従属接続されたマルチコンバージョン回路であって、
前記周波数変換回路は、
ベースバンド信号の周波数変換に用いる局部発振周波数信号を発生する局部発振器と、
前記局部発振周波数信号を２つの分配局発信号に分配する分配器と、
前記ベースバンド信号と前記２つの分配局発信号の内、一方の分配局発信号とを入力とし、該ベースバンド信号を高周波信号に周波数変換する周波数変換器と、
前記２つの分配局発信号の内、他方の分配局発信号を入力とし、該分配局発信号を位相反転するベクトル調整器と、
前記周波数変換器で周波数変換された周波数変換信号と前記位相反転された分配局発信号とを入力とし、該２つの入力信号をベクトル合成して前記周波数変換器の出力に現れる前記局部発振周波数信号の成分をキャンセルさせる合成器と、
該合成器の出力側に接続されて前記高周波信号を取り出す低域フィルタ又は高域フィルタと、
前記ベクトル調整器近傍の温度に対応する検出電圧を前記ベクトル調整器へ出力する温度検出器と、を備え、
前記ベクトル調整器は、前記近傍の温度の変動による前記位相反転された分配局発信号の位相および振幅の変動を前記検出電圧により補償するように構成されている。
【発明の効果】
【００１０】
本発明を実施すれば、Ｈｉｇｈ−Ｑ帯域通過フィルタ、高速ＤＡＣなどの高価格となる部品を用いることがなく、マルチコンバージョンを行って回路が複雑になるようなこともなく、Ｌ０振幅成分の正確なキャンセルが行えるので、所定のＲＦ信号を得ることができる。であるので装置の省スペース、省電力、低価格の装置の設計、製造が可能となる。
更に、帯域制限させるＨｉｇｈ−Ｑフィルタを要しないので、無線回路ブロックにおける広帯域信号の帯域内レベル平坦性を確保し易く、近年、開発が盛んなソフトウエアラジオにおけるマルチバンド無線部の構成に欠くことのできない特殊な技術である。
【発明を実施するための最良の形態】
【００１１】
図１に本発明の実施例となる周波数変換装置のブロック図を示す。
１は、多値ＱＡＭなどの送信変調された中間周波数信号（ＩＦ信号）である伝送帯域信号（ベースバンド信号）をディジタル信号処理によって作り出すベースバンド信号処理器（ＤＡＣ）である。ＤＡＣ１の出力周波数は比較的低くすることができ、本例のＤＡＣ１の出力周波数は１０ＭＨｚである。
２は、ＤＡＣ１の出力に接続されベースバンド信号処理されたベースバンド信号を一方の入力とし、局部発振周波数信号を他方の入力とし、ベースバンド信号を周波数変換して所望周波数出力とする周波数変換器（ＭＩＸ）である。
３は、周波数変換に用いる局部発振周波数信号を発生する局部発振器である。局部発振器３の発振周波数は例として２４９０ＭＨｚである。局部発振器の回路は、ＶＣＯ、ＰＬＬ−ＩＣを用いて実現される。
４は、局部発振器３の出力を２分配して一方の分配信号を第１の局部発振周波数信号として周波数変換器２の他方の入力とする分配器である。一方の分配信号側に遅延素子を用いて信号遅延させて周波数変換器２の他方の入力としてもよい。
５は、分配器４で２分配された他方の分配信号を入力とし、分配信号を位相反転して第２の局部発振周波数信号として出力とし、温度検出器からの温度情報に従い位相、レベルに対して温度制御されるようなベクトル調整器ベクトル調整器である。
６は、周波数変換器２で周波数変換された出力信号と第２の局部発振周波数信号とを入力とし、２つの入力をベクトル合成して局部発振周波数信号をキャンセルし、所定の無線周波信号として出力とする合成器である。合成器６の出力周波数は、所定の無線周波信号の例として２５００ＭＨｚである。
７は、周波数変換器（ＭＩＸ）２にて作成された変換周波数の成分のうち所望の高周波信号を取り出す高域フィルタ（ＨＰＦ）である。所望の高周波信号が変換周波数の低い方の周波数を取り出す場合には低域フィルタ（ＬＰＦ）であってもよい。
８は、ＬＰＦ７の出力を増幅して増幅信号を出力とする無線周波増幅器である。
９は、ベクトル調整器５近傍の温度の変動を検出し、ベクトル調整器５近傍の温度の変動による位相反転された分配局発信号の位相および振幅の変動を検出電圧により補償するように温度を電圧に変換して温度制御のための制御情報とし、ベクトル調整器へ出力する温度検出器である。
１０は、ＤＡＣ１、ＭＩＸ２、局部発振器３、分配器４、ベクトル調整器５、合成器６、ＨＰＦ７および温度検出器９によって構成される周波数変換回路である。
以上のブロック図による周波数変換装置の構成は、本発明のシングルコンバージョン方式の例であり、局部発振器３、ＭＩＸ２はそれぞれ１種類で済まされる。
なお、周波数変換回路１０を多段従属接続してマルチコンバージョン回路に形成し、このマルチコンバージョン回路の出力が定められた特性値に増幅する無線周波増幅器によって、従来技術のダブルコンバージョン回路から本発明の回路に置き換えた構成およびＬ０漏れなどのスプリアス特性を高度に対策された構成とした周波数変換装置としてもよい。
【００１２】
図２は、本発明のシングルコンバージョン方式におけるスペクトラム図を示す。
図２（Ａ）は、ＭＩＸ２へ入力される信号の周波数スペクトラムである。一例として、ＩＦは１０ＭＨｚの中間周波数信号（ＩＦ信号）である伝送帯域信号（ベースバンド信号）、Ｌｏは２４９０ＭＨｚの局部発振周波数信号の周波数スペクトラムである。
図２（Ｂ）は、ＭＩＸ２にて周波数変換された出力信号の周波数スペクトラムである。周波数変換出力としては、Ｌｏ＋ＩＦ＝２５００ＭＨｚ、Ｌｏ−ＩＦ＝２４８０ＭＨｚ及びＬｏ周波数の漏れ分が含まれて出力される
図２（Ｃ）は、ベクトル調整器５によって位相反転されたＬｏの周波数スペクトラムである。なおこのスペクトラムのレベルはＭＩＸ２からのＬｏ周波数の漏れ分のスペクトラムのレベルに同一となるように調整してある。
図２（Ｄ）は、ＭＩＸ２にて周波数変換された出力信号の周波数スペクトラムとベクトル調整器５によって位相反転されたＬｏの周波数スペクトラムとがベクトル合成されて、Ｌｏと位相反転されたＬｏとがベクトル合成された結果キャンセルされ、かつ、Ｌｏ±ＩＦのうち、（Ｌｏ−ＩＦ）周波数成分が制限されて、所望であるＬｏ＋ＩＦが出力されるようなＨＰＦを通過後の周波数スペクトラムである。
以上によって、Ｌｏは位相キャンセルされるので、出力信号に不要な振幅変調をかけてしまうＬｏを含まない所定の無線チャネル周波数（Ｌｏ＋ＩＦ）である増幅器出力スペクトラムを得ることができる。
【００１３】
図３は、ベクトル調整器５及び温度検出器９の内部構成を表わす第１の実施例の回路ブロック図である。図３の温度検出器９（Ａ）は個別回路部品によって構成された例である。
ＭＩＸ２などにアナログ回路素子が用いられた場合、アナログ回路素子がもつ温度特性によって高温領域、低温領域においてＬｏの位相、レベルが変化して、Ｌｏキャンセル動作が完全に行われず、ＭＩＸ２の出力にＬ０信号量が残されてしまう。この温度特性を補償して一定のレベルと位相が保てるようにするため温度検出器９が備えられている。
ベクトル調整器５において、５１は信号レベルを調整する電圧可変型の可変減衰器であり、５２はベクトル調整器５に入力された信号に対して信号位相を移相させる電圧可変型の可変移相器である。本発明では１８０°（逆位相）の移相回転を与える。可変減衰器５１と可変移相器５２は直列に接続されている。
温度検出器９において８１、８４は電圧変換器、８２、８５は温度検出素子（サーミスタ）、８３、８６はコントロール電圧発生器である。コントロール電圧発生器８３，８６はサーミスタ８２、８５にバイアスを与え、サーミスタ８２、８５が温度の変化に対して電流変化が起こり、この電流を電圧変換器８１、８４にて電圧に変換して、その電圧をそれぞれ可変減衰器５１、可変移相器５２に与えることによってＬｏのレベルと位相を所定の値に調整できる回路である。コントロール電圧発生器はＤＡＣ（ディジタルアナログ変換器）を用いて発生させてもよい。
【００１４】
図４は、ベクトル調整器５及び温度検出器９の内部構成を表わす第２の実施例の回路ブロック図である。図４の温度検出器９（Ｂ）はＤＡＣ（ディジタルアナログ変換器）とＭＰＵ（マイクロプロセッサ）によって構成された例である。
ベクトル調整器５において、５１は信号レベルを調整する電圧可変型の可変減衰器であり、５２はベクトル調整器５に入力された信号に対して信号位相を移相させる電圧可変型により１８０°を前後に調整可能な可変移相器である。本発明では１８０°（逆位相）の移相回転を与えるのを基準とする。可変減衰器５１と可変移相器５２は直列に接続されている。
温度検出器９において９１、９２は電圧変換器、９６は温度検出素子（例えばサーミスタ）、９４は基準電圧発生器、９３はディジタルデータ値をＤＣ電圧値に変換するＤＡＣ、９５はデータ、プログラムなどのメモリを有するＭＰＵである。
温度検出素子９６にて温度を検出し電圧に変え、電圧からデータに変換されＭＰＵに取り込まれる。更にＭＰＵ９５ではＤＡＣ９３に与えるデータに変換されて出力される。ＤＡＣ９３では温度に対応した電圧値を出力する。ＭＰＵ９５には温度とＤＡＣ９３に与えるデータとの関係を制御する温度範囲のテーブルデータにしてメモリに蓄積し、所望の温度の電圧変換用データがＭＰＵの制御の基に出力できるようにしている。
このようにして得られた電圧をそれぞれ可変減衰器５１、可変移相器５２に与えることによってＬｏのレベルと位相を所定の値に調整できる回路である。
次に温度、ＤＡＣ入力データ、ＤＡＣ出力電圧の関係例として表１に示した。（テーブル参照制御方式）。なお、温度変化ステップは更に細分化してもよい。
【００１５】
【表１】
2007060115.tif 000003
【００１６】
図５は本発明のベクトル調整器及び温度検出器の内部構成を表わす第３の実施例の回路ブロック図である。
ＤＡＣとＭＰＵを備えた温度検出器９（Ｂ）およびベクトル調整器５によって構成された実施例は図４に同じであるので説明は省略する。
ＭＰＵ９５では、温度検出素子９６によって検出された温度に対応するＤＡＣ９３に与えるデータ値（例えば１０進数）をテーブルにしてテーブルメモリに記憶されている。
このテーブルは、ＲＦ毎（Ｆ１、Ｆ２、Ｆ３・・・Ｆｎ）に備えられており、ＲＦの周波数が変更された際、用いられる周波数に対応したテーブルが選択され、当該周波数のテーブルで示される温度⇒ＤＡＣ入力データ値を参照して、ＤＡＣ９３の出力電圧を得る。このＤＡＣ出力電圧がベクトル調整器５に導かれる。
ベクトル調整器５における、信号レベルを調整する電圧可変型の可変減衰器５１およびベクトル調整器５に入力された信号に対して信号位相を移相させる電圧可変型により１８０°を前後に調整可能な可変移相器５２のそれぞれを精度よく調整するようにできる。
このようにして可変減衰器５１、可変移相器５２によってのレベルと位相を所定の値に調整できる回路であるので、また、この調整であれば、キャンセルさせるＬｏ成分が１ポイントになるので遅延時間調整が不要であり、遅延回路の挿入が必要なくなる。従ってＬｏ成分のキャンセルが確実となる上、回路構成が軽減される。
【００１７】
図６は、合成器６に現れる残留Ｌｏ量、即ちキャンセル量を縦軸に温度を横軸に示した温度補償特性図である。（ａ）は温度制御される前の特性を表わし、（ｂ）は温度制御された後の特性を表し、このように本発明では装置周囲の温度が変化されてもほぼ一定のキャンセル量とすることができる。
このように温度依存性がなくなり、更に、図示していないが、ＲＦ周波数の依存性もなくなるので、Ｌ０振幅成分の正確なキャンセルが行えるものである。
【産業上の利用可能性】
【００１８】
本発明は、移動通信又は固定通信に用いられる無線通信システムに適用されて通信事業等に利用することができる。
【図面の簡単な説明】
【００１９】
【図１】本発明の実施例となる周波数変換装置のブロック図である。
【図２】本発明のシングルコンバージョン方式におけるスペクトラム図である。
【図３】本発明のベクトル調整器及び温度検出器の内部構成を表わす回路ブロック図である。
【図４】本発明のベクトル調整器及び温度検出器の内部構成を表わす他の回路ブロック図である。
【図５】本発明のベクトル調整器及び温度検出器の内部構成を表わす他の回路ブロック図である。
【図６】本発明のＬｏのキャンセル量を示した温度補償特性図である。
【図７】従来技術のアップコンバージョン方式の基本構成図である。
【図８】従来技術のダブルコンバージョン方式のブロック図である。
【図９】従来技術のシングルコンバージョン方式のブロック図である。
【図１０】従来技術のシングルコンバージョン方式の別なブロック図である。
【符号の説明】
【００２０】
１  ベースバンド信号処理器（ＤＡＣ）
２  周波数変換器（ＭＩＸ）
３  局部発振器
４  分配器
５  ベクトル調整器
６  合成器
７  高域フィルタ（ＨＰＦ）
８  無線周波増幅器
９  温度検出器
１０  周波数変換回路
【図１】
2007060115.tif 000004
【図２】
2007060115.tif 000005
【図３】
2007060115.tif 000006
【図４】
2007060115.tif 000007
【図５】
2007060115.tif 000008
【図６】
2007060115.tif 000009
【図７】
2007060115.tif 000010
【図８】
2007060115.tif 000011
【図９】
2007060115.tif 000012
【図１０】
2007060115.tif 000013